Podtech/llm-jp-corpus-v4-ja_patent huggingface dataset:
【手続補正書】
【提出日】平成18年12月6日(2006.12.6)
【手続補正１】
【補正対象書類名】明細書
【補正対象項目名】００５１
【補正方法】変更
【補正の内容】
【００５１】
極性切換部４３０ａは、反転回路も有している。この反転回路は、直流阻止コンデンサ４３４ａを介して入力端子４３２ａに接続されたバラン４４４ａを有し、このバラン４４４ａの出力側が極性を反転させて、別のバラン４４６ａに供給されている。このバラン４４６ａの出力側が、開閉素子、例えばＰＩＮダイオード４４８ａ、４５０ａ、直流阻止コンデンサ４４０ａを介して出力端子４４２ａに接続されている。即ち、ＰＩＮダイオード４４８ａのカソードがバラン４４６ａの出力側に接続され、アノードがＰＩＮダイオード４５０ａのアノードに接続され、カソードが直流阻止コンデンサ４４０ａに接続されている。従って、ＰＩＮダイオード４４８ａ、４５０ａが導通したとき、入力端子４３２ａに供給された増幅器４２８ａの信号は、バラン４４４ａ、４４６ａによって極性が反転され、ＰＩＮダイオード４４８ａ、４５０ａを介して出力端子４４２ａに出力される。
【手続補正２】
【補正対象書類名】明細書
【補正対象項目名】００５３
【補正方法】変更
【補正の内容】
【００５３】
図４に示すように、極性切換部４３０ａからの信号（ＶＨＦ帯低域信号）と、合成器１１８ａの信号（ＶＨＦ帯高域またはＵＨＦ帯信号）は、帯域切換部４６４ａに供給されている。帯域切換部４６４ａは、図６に示すように、合成器１１８ａからの信号が入力される入力端子４６６ａと、極性切換部４３０ａからの信号が供給される入力端子４６８ａとを有している。入力端子４６６ａと出力端子４７０ａとの間に開閉手段、例えばＰＩＮダイオード４７２ａ、４７４ａが接続されている。即ちＰＩＮダイオード４７２ａのカソードは直流阻止コンデンサ４７６ａを介して入力端子４６６ａに接続され、アノードはＰＩＮダイオード４７４ａのアノードに接続され、カソードは直流阻止コンデンサ４７８ａを介して出力端子４７０ａに接続されている。同様に入力端子４６８ａと出力端子４７０ａとの間に、開閉手段、例えばＰＩＮダイオード４８０ａ、４８２ａが接続されている。即ち、ＰＩＮダイオード４８０ａのカソードは直流阻止コンデンサ４７５ａを介して入力端子４６８ａに接続され、そのアノードはＰＩＮダイオード４８２ａのアノードに接続され、そのカソードは直流阻止コンデンサ４７８ａを介して出力端子４７０ａに接続されている。ＰＩＮダイオード４７２ａ、４７４ａを導通させるために、抵抗器４８４ａ、電圧供給部４８６ａ、高周波阻止コイル４８８ａ、４９０ａが設けられている。ＰＩＮダイオード４８０ａ、４８２ａを導通させるために、抵抗器４９２ａ、電圧供給部４９４ａ、高周波阻止コイル４９６ａ、４９０ａが設けられている。
【手続補正３】
【補正対象書類名】図面
【補正対象項目名】図１８
【補正方法】変更
【補正の内容】
【図１８】
2005176120.tif 000001
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
互いに異なるイメージサイズを有する複数の交換レンズを装着可能な撮像装置であって、
装着された前記交換レンズにより形成された像を光電変換する撮像素子と、
該撮像素子の出力に基づいて、記録媒体に記録する記録画像データを生成する画像生成手段と、
前記装着された交換レンズのイメージサイズを判別する判別手段と、
前記判別したイメージサイズに応じて、前記撮像素子の画素領域のうち前記記録画像データを生成するための記録画素領域を変更する制御手段とを有することを特徴とする撮像装置。
【請求項２】
前記撮像素子の画素領域のうち前記記録画像データを生成するための記録画素領域を使用者に選択させる選択手段を有することを特徴とする請求項１に記載の撮像装置。
【請求項３】
前記制御手段は、前記選択手段により選択された記録画素領域と前記判別手段により判別したイメージサイズとが対応するか否かを判別し、対応しないときは撮像を制限することを特徴とする請求項２に記載の撮像装置。
【請求項４】
画像データを電子的に表示する電子表示手段を有し、
前記電子表示手段は、前記記録画像データに対応した画像データを表示することを特徴とする請求項１又は２に記載の撮像装置。
【請求項５】
前記装着された交換レンズからの光により形成される被写体像を表示する光学表示手段と、
前記記録画像データに対応した光学表示領域を設定する設定手段とを有することを特徴とする請求項１から４のいずれか１つに記載の撮像装置。
【請求項６】
請求項１から５のいずれか１つに記載の撮像装置と、
前記撮像装置にそれぞれ装着可能な、第１のイメージサイズを有する第１の交換レンズおよび前記第１のイメージサイズとは異なる第２のイメージサイズを有する第２の交換レンズとを有することを特徴とする撮像システム。
【請求項７】
請求項１から５のいずれか１つに記載の撮像装置に装着が可能な交換レンズであって、
該交換レンズのイメージサイズに関する情報を前記撮像装置に通信することを特徴とする交換レンズ。
【請求項８】
撮像素子を有する撮像装置に対して装着可能な交換レンズであって、
前記撮像装置と通信を行う通信手段と、
前記撮像素子のサイズと該交換レンズのイメージサイズとが対応するか否かを判別し、対応しないとき又は前記撮像素子のサイズが判別できないときは前記撮像装置に対して撮像を制限させる信号を送信する制御手段とを有することを特徴とする交換レンズ。
【手続補正２】
【補正対象書類名】明細書
【補正対象項目名】０００４
【補正方法】変更
【補正の内容】
【０００４】
本願発明は、互いに異なるイメージサイズを有する複数の交換レンズを装着可能な撮像装置であって、装着された交換レンズにより形成された像を光電変換する撮像素子と、撮像素子の出力に基づいて、記録媒体に記録する記録画像データを生成する画像生成手段と、装着された交換レンズのイメージサイズを判別する判別手段と、判別したイメージサイズに応じて、撮像素子の画素領域のうち記録画像データを生成するための記録画素領域を変更する制御手段とを有することを特徴とする。
【手続補正３】
【補正対象書類名】明細書
【補正対象項目名】０００５
【補正方法】変更
【補正の内容】
【０００５】
ここで、撮像素子の画素領域のうち記録画像データを生成するための記録画素領域を使用者に選択させる選択手段を設けることができる。
【手続補正４】
【補正対象書類名】明細書
【補正対象項目名】０００８
【補正方法】変更
【補正の内容】
【０００８】
本願発明である撮像装置によれば、装着された交換レンズのイメージサイズに応じて撮像素子における記録画素領域を変更するため、記録画素領域のうちイメージサイズ外の画素領域からの出力に基づいて記録画像データが生成されることにより、画像が劣化するのを防止することができる。また、撮像素子によっては、イメージサイズ外の画素領域からの出力を防止することができるため、撮像素子の駆動電力を低減（省電力化）することができる。さらに、イメージサイズ外の画素領域からの出力に基づいて生成された不要な画像データを記録することもなくなる。
【手続補正５】
【補正対象書類名】明細書
【補正対象項目名】００１０
【補正方法】変更
【補正の内容】
【００１０】
また、撮影者によって操作される選択手段を設ければ、交換レンズのイメージサイズに応じて記録画素領域を変更することができるため、上述したように画像の劣化を防止することができるとともに、撮像装置の省電力化等を図ることができる。
【手続補正６】
【補正対象書類名】明細書
【補正対象項目名】００１３
【補正方法】変更
【補正の内容】
【００１３】
また、装着された交換レンズのイメージサイズを判別する判別手段と、選択手段により選択された記録画素領域と判別したイメージサイズとが対応するか否かを判別し、対応しないときは撮像を制限する制御手段とを設ければ、例えば、記録画素領域の大きさがイメージサイズよりも大きな場合における撮像を制限することができ、この撮像によって生じるイメージサイズ外の領域における画像の劣化を防止することができるとともに、不要な電力消費（イメージサイズ外の画素領域における出力）を軽減することができる。
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
テーブルに格納されている色信号列に対して平滑化を行う色処理装置であって、
前記色信号列の平滑化に対応するパラメトリック曲線を算出する曲線算出手段と、
前記平滑化すべき色信号に対応する媒介変数値を設定する設定手段と、
前記パラメトリック曲線および前記媒介変数値を用いて平滑化後の色信号を算出する色算出手段と、
前記算出された平滑化後の色信号を前記テーブルに格納する格納手段とを有することを特徴とする色処理装置。
【請求項２】
前記曲線算出手段は、前記色信号列の近傍を通過するパラメトリック曲線を算出して、前記パラメトリック曲線を変更し、
前記設定手段は、前記色信号列の近傍を通過するパラメトリック曲線を基準として前記媒介変数値を設定し、
前記色算出手段は、前記パラメトリック曲線に対して写像を施し、前記変更されたパラメトリック曲線に対して、前記媒介変数値を適用して平滑化後の色信号を算出することを特徴とする請求項1に記載された色処理装置。
【請求項３】
前記曲線算出手段は、前記平滑化すべき色信号とパラメトリック曲線の距離の総和が最小になるように、前記色信号列の近傍を通過するパラメトリック曲線を算出することを特徴とする請求項2に記載された色処理装置。
【請求項４】
前記曲線算出手段は、前記パラメトリック曲線の基準多角形を保持する一方、前記パラメトリック曲線の基底関数の階数を増加させて前記パラメトリック曲線を変更することを特徴とする請求項2に記載された色処理装置。
【請求項５】
前記曲線算出手段は、前記基底関数の階数を増加させる際、前記基底関数の節点数および節点座標を保持することを特徴とする請求項4に記載された色処理装置。
【請求項６】
前記曲線算出手段は、ユーザが望む平滑化特性に応じて、前記パラメトリック曲線の基底関数の階数を切り替えることを特徴とする請求項4に記載された色処理装置。
【請求項７】
前記パラメトリック曲線はB-スプライン曲線または有理B-スプライン曲線であることを特徴とする請求項2から請求項6の何れか一項に記載された色処理装置。
【請求項８】
前記曲線算出手段は、前記色信号列を基準多角形としてパラメトリック曲線を算出し、
前記設定手段は、前記パラメトリック曲線の基底関数の節点座標を、前記色信号列に対応する前記媒介変数値に設定することを特徴とする請求項1に記載された色処理装置。
【請求項９】
前記曲線算出手段は、ユーザが望む平滑化特性に応じて、前記パラメトリック曲線の種類、次数、階数を切り替えることを特徴とする請求項8に記載された色処理装置。
【請求項１０】
前記パラメトリック曲線はB-スプライン曲線、有理B-スプライン曲線またはベジェ曲線であることを特徴とする請求項1に記載された色処理装置。
【請求項１１】
テーブルに格納されている色信号列に対して平滑化を行う色処理方法であって、
前記色信号列の平滑化に対応するパラメトリック曲線を算出し、
前記平滑化すべき色信号に対応する媒介変数値を設定し、
前記パラメトリック曲線および前記媒介変数値を用いて平滑化後の色信号を算出し、
前記算出された平滑化後の色信号を前記テーブルに格納することを特徴とする色処理方法。
【請求項１２】
情報処理装置を制御して、請求項1から請求項10の何れか一項に記載された色処理装置の各手段として機能させることを特徴とするコンピュータプログラム。
【手続補正２】
【補正対象書類名】明細書
【補正対象項目名】発明の名称
【補正方法】変更
【補正の内容】
【発明の名称】色処理装置およびその方法
【手続補正３】
【補正対象書類名】明細書
【補正対象項目名】０００１
【補正方法】変更
【補正の内容】
【０００１】
本発明は、所定の表色系で表現される色信号列に対して平滑化を行う色処理に関する。
【手続補正４】
【補正対象書類名】明細書
【補正対象項目名】００１８
【補正方法】変更
【補正の内容】
【００１８】
本発明は、色信号列に対する平滑化において、従来のフィルタリング技術に対する代替技術を提供することを目的とする。
【手続補正５】
【補正対象書類名】明細書
【補正対象項目名】００１９
【補正方法】削除
【補正の内容】
【手続補正６】
【補正対象書類名】明細書
【補正対象項目名】００２１
【補正方法】変更
【補正の内容】
【００２１】
本発明は、テーブルに格納されている色信号列に対して平滑化を行う色処理に関し、前記色信号列の平滑化に対応するパラメトリック曲線を算出し、前記平滑化すべき色信号に対応する媒介変数値を設定し、前記パラメトリック曲線および前記媒介変数値を用いて平滑化後の色信号を算出し、前記算出された平滑化後の色信号を前記テーブルに格納することを特徴とする。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
本発明によれば、色信号列に対する平滑化において、従来のフィルタリング技術に対する代替技術を提供することができる。
【手続補正９】
【補正対象書類名】明細書
【補正対象項目名】００２４
【補正方法】削除
【補正の内容】
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
原画像を示す第１の画像データを取得する第１の取得工程と、
前記第１の画像データから第１の輝度成分を抽出する第１の輝度抽出工程と、
前記第１の輝度成分から第１の低周波成分を抽出する第１の低周波抽出工程と、
前記原画像を示す第２の画像データを取得する第２の取得工程と、
前記第２の画像データから第２の輝度成分を抽出する第２の輝度抽出工程と、
前記第２の輝度成分から第２の低周波成分を抽出する第２の低周波抽出工程と、
前記第１の低周波成分と前記第２の低周波成分とを用いて前記第２の画像データに対して画像処理を行う画像処理工程とを有し、
前記第１の低周波成分が、前記第２の低周波成分より解像度が低いことを特徴とする画像処理方法。
【請求項２】
前記第１の画像データは、前記第２の画像データよりも解像度が低いことを特徴とする請求項１に記載の画像処理方法。
【請求項３】
前記原画像を示す前記第２の画像データの副走査方向に複数に分割された領域に対応するバンド画像ごとに、前記第２の取得工程、前記第２の輝度抽出工程、前記第２の低周波抽出工程及び前記画像処理工程による処理を行うことを特徴とする請求項１又は２に記載の画像処理方法。
【請求項４】
前に処理されたバンド画像の最終の規定数のラインの前記第２の輝度成分を保持する保持工程をさらに有し、
前記第２の輝度成分が保持されるラインの規定数は、前記第２の低周波抽出工程において各画素について行われる低周波信号抽出処理の処理対象の領域の大きさに基づいていることを特徴とする請求項３に記載の画像処理方法。
【請求項５】
前記第１の画像データに基づいてプレビューを行うプレビュー工程をさらに有することを特徴とする請求項１乃至４の何れか１項に記載の画像処理方法。
【請求項６】
前記第１の取得工程、及び前記第２の取得工程では、前記原画像をスキャンし、それぞれ前記第１の画像データ、及び該第１の画像データよりも解像度の低い前記第２の画像データを取得することを特徴とする請求項１に記載の画像処理方法。
【請求項７】
スキャナの読み取り面に置かれた複数の原稿を読み取って複数のプレビュー画像を入力するプレビュー入力工程と、
前記複数のプレビュー画像から、ユーザの指示に応じたプレビュー画像を選択する選択工程とをさらに有し、
前記第１の取得工程、及び前記第２の取得工程でスキャンされる前記原画像が、前記選択工程により選択された前記プレビュー画像に対応する原稿であることを特徴とする請求項６に記載の画像処理方法。
【請求項８】
原画像を示す第１の画像データを取得する第１の取得手段と、
前記第１の画像データから第１の輝度成分を抽出する第１の輝度抽出手段と、
前記第１の輝度成分から第１の低周波成分を抽出する第１の低周波抽出手段と、
前記原画像を示す第２の画像データを取得する第２の取得手段と、
前記第２の画像データから第２の輝度成分を抽出する第２の輝度抽出手段と、
前記第２の輝度成分から第２の低周波成分を抽出する第２の低周波抽出手段と、
前記第１の低周波成分と前記第２の低周波成分とを用いて前記第２の画像データに対して画像処理を行う画像処理手段とを有し、
前記第１の低周波成分が、前記第２の低周波成分より解像度が低いことを特徴とする画像処理装置。
【請求項９】
コンピュータに、
原画像を示す第１の画像データを取得する第１の取得手順と、
前記第１の画像データから第１の輝度成分を抽出する第１の輝度抽出手順と、
前記第１の輝度成分から第１の低周波成分を抽出する第１の低周波抽出手順と、
前記原画像を示す第２の画像データを取得する第２の取得手順と、
前記第２の画像データから第２の輝度成分を抽出する第２の輝度抽出手順と、
前記第２の輝度成分から第２の低周波成分を抽出する第２の低周波抽出手順と、
前記第１の低周波成分と前記第２の低周波成分とを用いて前記第２の画像データに対して画像処理を行う画像処理手順とを実行させるためのプログラムであって、
前記第１の低周波成分が、前記第２の低周波成分より解像度が低いことを特徴とするプログラム。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
メディアコンテンツを記録するため及びメディア表現を生成するためのシステムであって：
メディア受信器からメディアコンテンツを抽出するための抽出モジュール；
前記メディア受信器から抽出されたメディアコンテンツのメディア表現を生成するための出力装置であって、前記出力装置は前記抽出モジュールに結合されている、出力装置；及び
前記出力装置と前記メディア受信器との間の通信を可能にするためのメディア転送インタフェースであって、前記メディア転送インタフェースは前記メディア受信器に結合されている、メディア転送インタフェース；
を有することを特徴とするシステム。
【手続補正書】
【提出日】平成18年12月12日(2006.12.12)
【手続補正１】
【補正対象書類名】明細書
【補正対象項目名】００１９
【補正方法】変更
【補正の内容】
【００１９】
図１〜５は、本願発明に係る給水装置の一実施形態を示している。なお、図１〜５においては、一部の構成要素を適宜省略している。図１によく示されているように、本実施形態の給水装置Ａは、たとえば屋内の壁際に設置された植栽設備Ｂに付属して設置可能なものであり、植栽設備Ｂに対して給水を行うものである。植栽設備Ｂは、観葉植物などが植えられた複数の基盤ユニット１０を縦横に備えて構成されている。図１では、最下段の基盤ユニット１０のみを示している。各基盤ユニット１０は、ブロック状の草炭（ピート）に植物を植え込んだものであり、保水性が比較的高いものの、与えられた水の量がある程度多くなると水が滴り落ちる。各段の基盤ユニット１０の上部には、給水装置Ａから送り出された水を水滴状に落とす給水パイプ１１が設けられており、また、最下段の基盤ユニット１０の下方には、各基盤ユニット１０から滴り落ちる余剰分の水を受けて溜めておくための水受け部１２が設けられている。水受け部１２には、その内部に溜まった水を給水装置Ａに戻すための回収パイプ１３の先端部が引き込まれている。植栽設備Ｂの全体サイズは、概ね縦２ｍ×横１ｍ程度である。このような植栽設備Ｂに対して給水を行う給水装置Ａは、植栽設備Ｂの水受け部１２に溜まった余剰分の水を回収する機能も備えている。
【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
配列番号３で示される塩基配列を含むポリヌクレオチドからなる根こぶ病抵抗性ナタネ類の選抜用マーカー。
【請求項２】
配列番号３で示される塩基配列を含むポリヌクレオチドに特異的にハイブリダイズし、該配列を増幅するためのオリゴヌクレオチド。
【請求項３】
ナタネ類より抽出したRNA又はDNAから、請求項１記載のマーカーを検出することを特徴とする、根こぶ病抵抗性ナタネ類の選抜方法。
【請求項４】
請求項２記載のオリゴヌクレオチドを含む、請求項３記載の方法。
【請求項５】
以下の工程を含む、根こぶ病抵抗性ナタネ類の選抜方法：
１）ナタネ類より抽出したRNA又はDNAを鋳型として、請求項２記載のオリゴヌクレオチドを用いて核酸増幅反応を行い；
２）得られた核酸増幅産物から、配列番号３で示される塩基配列を含む増幅産物を検出することにより、根こぶ病抵抗性ナタネ類を選抜する。
【請求項６】
検出が電気泳動分析を利用して行われる、請求項３〜５のいずれか１項に記載の方法。
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
回転表示装置を備えた遊技機であって、
煙草の煙を吸引するための少なくとも１以上の吸気手段と、
前記吸気手段と接続され、吸引された前記煙を清浄した空気に換える空気清浄手段と、
前記空気清浄手段と接続され、清浄された前記空気を排気する排気手段と、
前記遊技機の筐体に設けられたメダル投入手段からのメダル投入を検知し、メダル投入検知信号を送信するメダル投入検知手段と、
前記煙草の煙を検知し、煙検知信号を送信する、少なくとも１以上の煙検知手段と、
前記メダル投入検知信号及び前記煙検知信号の両方を受信した場合、前記空気清浄手段を作動させる制御手段と、
を有することを特徴とする遊技機。
【請求項２】
遊技者の存在を検知し、対人検知信号を送信する、少なくとも１以上の対人検知手段をさらに有し、
前記制御手段は、前記メダル投入検知信号、前記煙検知信号、及び前記対人検知信号を一定時間受信している場合、前記空気清浄手段の作動を継続させることを特徴とする請求項１記載の遊技機。
【請求項３】
前記制御手段は、前記メダル投入検知信号及び前記煙検知信号の両方を一定時間受信しなかった場合、前記空気清浄手段の作動を停止させることを特徴とする請求項１又は２記載の遊技機。
【請求項４】
前記制御手段は、前記対人検知信号を一定時間受信せずに、前記煙検知信号を一定時間受信した場合、前記遊技機の外部に設置される外部報知手段を作動させることを特徴とする請求項１から３のいずれ１項に記載の遊技機。
【請求項５】
前記制御手段は、前記空気清浄手段内又はサブ制御基板内のいずれか一方に設けられることを特徴とする請求項１から４のいずれ１項に記載の遊技機。
【請求項６】
前記排気手段は、前記遊技機の筐体の裏面を介して設けられることを特徴とする請求項１から５のいずれか１項に記載の遊技機。
【手続補正２】
【補正対象書類名】明細書
【補正対象項目名】０００６
【補正方法】変更
【補正の内容】
【０００６】
かかる目的を達成するために、請求項１記載の発明は、回転表示装置を備えた遊技機であって、煙草の煙を吸引するための少なくとも１以上の吸気手段と、吸気手段と接続され、吸引された煙を清浄した空気に換える空気清浄手段と、空気清浄手段と接続され、清浄された空気を排気する排気手段と、遊技機の筐体に設けられたメダル投入手段からのメダル投入を検知し、メダル投入検知信号を送信するメダル投入検知手段と、煙草の煙を検知し、煙検知信号を送信する、少なくとも１以上の煙検知手段と、メダル投入検知信号及び煙検知信号の両方を受信した場合、空気清浄手段を作動させる制御手段と、を有することを特徴とする。
【手続補正３】
【補正対象書類名】明細書
【補正対象項目名】０００７
【補正方法】変更
【補正の内容】
【０００７】
請求項２記載の発明は、請求項１記載の発明において、遊技者の存在を検知し、対人検知信号を送信する、少なくとも１以上の対人検知手段をさらに有し、制御手段は、メダル投入検知信号、煙検知信号、及び対人検知信号を一定時間受信している場合、空気清浄手段の作動を継続させることを特徴とする。
【手続補正４】
【補正対象書類名】明細書
【補正対象項目名】０００８
【補正方法】変更
【補正の内容】
【０００８】
請求項３記載の発明は、請求項１又は２記載の発明において、制御手段は、メダル投入検知信号及び煙検知信号の両方を一定時間受信しなかった場合、空気清浄手段の作動を停止させることを特徴とする。
【手続補正５】
【補正対象書類名】明細書
【補正対象項目名】０００９
【補正方法】変更
【補正の内容】
【０００９】
請求項４記載の発明は、請求項１から３のいずれか１項に記載の発明において、制御手段は、対人検知信号を一定時間受信せずに、煙検知信号を一定時間受信した場合、遊技機の外部に設置される外部報知手段を作動させることを特徴とする。
【手続補正６】
【補正対象書類名】明細書
【補正対象項目名】００１０
【補正方法】変更
【補正の内容】
【００１０】
請求項５記載の発明は、請求項１から４のいずれか１項に記載の発明において、制御手段は、空気清浄手段内又はサブ制御基板内のいずれか一方に設けられることを特徴とする。
【手続補正７】
【補正対象書類名】明細書
【補正対象項目名】００１１
【補正方法】変更
【補正の内容】
【００１１】
請求項６記載の発明は、請求項１から５のいずれか１項に記載の発明において、排気手段は、遊技機の筐体の裏面を介して設けられることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正書】
【提出日】平成18年12月6日(2006.12.6)
【手続補正１】
【補正対象書類名】特許請求の範囲
【補正対象項目名】請求項１
【補正方法】変更
【補正の内容】
【請求項１】
装置を駆動するためのバッテリーであって、
電荷を蓄電するための２次電池と、
前記２次電池から前記装置に電力を供給するための供給端子と、
前記装置の充電回路から電力を受給して前記２次電池を充電するための充電端子と、
前記装置に識別情報を出力するための電子回路と、
少なくとも前記２次電池の充電量が前記電子回路を駆動するには不十分な場合に、前記装置から前記電子回路を動作させるための電力を受給するための受給端子と、
前記受給端子からの電力の供給を受けた電子回路が出力する前記識別情報を前記装置に送信するための送信端子と
を含むバッテリー。
【手続補正２】
【補正対象書類名】特許請求の範囲
【補正対象項目名】請求項２
【補正方法】変更
【補正の内容】
【請求項２】
２次電池と識別情報を出力する電子回路とを備えたバッテリーを充電する充電装置であって、
前記２次電池を充電するための充電回路と、
前記充電回路から充電のための電力を前記２次電池に供給する充電端子と、
少なくとも前記２次電池の充電量が前記電子回路を駆動するには不十分な場合に、前記電子回路に電力を供給するための電力供給端子と、
前記電子回路から前記識別情報を受信するための受信端子と
を含む充電装置。
【手続補正３】
【補正対象書類名】特許請求の範囲
【補正対象項目名】請求項５
【補正方法】変更
【補正の内容】
【請求項５】
前記２次電池を充電している際には、前記電子回路への電力の供給を停止する停止手段をさらに含む請求項２ないし４の何れか１項に記載の充電装置。
【手続補正４】
【補正対象書類名】特許請求の範囲
【補正対象項目名】請求項６
【補正方法】変更
【補正の内容】
【請求項６】
２次電池と識別情報を出力する電子回路とを備えたバッテリーにより少なくとも駆動可能な情報処理装置であって、
前記２次電池を充電するための充電回路と、
前記充電回路からの電力を前記２次電池に供給するための充電端子と、
少なくとも前記２次電池の充電量が前記電子回路を駆動するには不十分な場合に、前記電子回路に電力を供給するための電力供給端子と、
前記電子回路から前記識別情報を受信するための受信端子と
を含む情報処理装置。
【手続補正５】
【補正対象書類名】明細書
【補正対象項目名】０００７
【補正方法】変更
【補正の内容】
【０００７】
図５に本発明の関連技術を示す。より具体的には、２次電池５１４と、正規品か否かを識別するためのバッテリーマイコン５１５とを備えたバッテリー５１８により駆動される画像記録再送装置を示している。このバッテリーマイコン５１５は、２次電池５１４だけから電力が供給されるようになっている。充電の際には、まずシステムコントロール部５０８が、バッテリーマイコン５１５と通信を行い、正規品か否かを判定する。正規品であれば、切り替え回路５１３を切り替えて、充電回路５１２から電力を２次電池に供給できるようにしている。もし、バッテリー５１８が正規品でなければ、不具合を防止すべく、切り替え回路５１３を制御して充電を停止させている。
【手続補正６】
【補正対象書類名】明細書
【補正対象項目名】００１５
【補正方法】変更
【補正の内容】
【００１５】
商用電源１１６は、不図示のＡＣアダブタを通して画像記録再生装置に供給される。定電圧発生回路１１１は、商用電源（ＡＣ電源）１１６からの電圧を各部で使用可能な電圧へと変換するための回路である。充電回路１１２は、バッテリー１１８に供給する電力を制御する回路である。２次電池電源供給切替回路１１３は、バッテリー１１８に電力を供給するかあるいは供給しないかを切り替えるための回路である。２次電池１１４は、画像記録再生装置から供給される電力を蓄える２次電池セルである。バッテリーマイコン１１５は、バッテリー１１８と画像記録再生装置との間で正規品かどうかのＩＤ認証等に関する処理を実行するマイクロコンピュータである。電源供給切替回路１１７は、バッテリーマイコン１１５に定電圧発生回路１１１からの電源を供給するか供給しないかを切り替えるための回路である。なお、正規品とは、純正品だけでなく、純正品と同等の動作をする製品も含む意である。
【手続補正７】
【補正対象書類名】明細書
【補正対象項目名】００１６
【補正方法】変更
【補正の内容】
【００１６】
なお、図示は省略するが、バッテリー１１８には、２次電池１１４から画像記録再生装置に電力を供給するための供給端子と、切替回路１１３を経由して充電回路１１２から電力を受給して２次電池１１４を充電するための充電端子と、バッテリーマイコン１１５を動作させるための電力を受給するための受給端子と、バッテリーマイコン１１５とシステムコントロール部１０８が通信を行なうための通信端子とが含まれている。
【手続補正８】
【補正対象書類名】明細書
【補正対象項目名】００１７
【補正方法】変更
【補正の内容】
【００１７】
同様に、画像記録再生装置には、充電回路１１２からの電力を２次電池１１４に供給するための充電端子と、２次電池１１４から電力を受給するための受給端子と、バッテリーマイコン１１５に電力を供給するための電力供給端子と、バッテリーマイコン１１５とコントロール部１０８とが通信するための通信端子とが含まれている。
【手続補正９】
【補正対象書類名】明細書
【補正対象項目名】００２１
【補正方法】変更
【補正の内容】
【００２１】
ステップＳ２０２において、定電圧発生回路１１１は、画像記録再生装置がＡＣアダプタを介して商用電源（ＡＣ電源）１１６に接続されているかどうかを判定する。接続が確立されていればステップＳ２０３に移行する。一方、未確立の場合は、ステップＳ２０１に移行する。
【手続補正１０】
【補正対象書類名】明細書
【補正対象項目名】００２８
【補正方法】変更
【補正の内容】
【００２８】
ステップＳ２０８において、システムコントロール部１０８は、切替回路１１３に制御信号（ＯＮ信号）を送出する。切替回路１１３は、ＯＮ信号を受信すると、２次電池１１４に電力を供給するよう内部スイッチを切り替える。
【手続補正１１】
【補正対象書類名】明細書
【補正対象項目名】００２９
【補正方法】変更
【補正の内容】
【００２９】
ステップＳ２０９において、充電回路１１２は、バッテリー１１８の２次電池１１４への充電を開始する。
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
露光した光学像を電気信号へと変換する複数の画素を備えた撮像素子と、
前記撮像素子の有効画素範囲内の全範囲もしくは一部範囲の出力値の中で、所定の閾値以下の、撮影画像の黒レベル用の信号レベルを検出する検出手段と、
前記撮像素子の出力信号を前記信号レベルで補正する補正手段と、
を備えたことを特徴とする撮像装置。
【請求項２】
前記検出手段は、前記撮像装置の撮影条件に応じて、前記信号レベルを検出することを特徴とする請求項１記載の撮像装置。
【請求項３】
前記検出手段は、予め定められた秒時よりも長い露光時間が設定された場合に、前記信号レベルを検出することを特徴とする請求項２記載の撮像装置。
【請求項４】
前記検出手段は、予め定められた温度よりも高い温度の場合に、前記信号レベルを検出することを特徴とする請求項２記載の撮像装置。
【請求項５】
前記補正手段は、前記撮像素子の出力信号から前記信号レベルを一律減算することを特徴とする請求項１から請求項４のいずれか１項に記載の撮像装置。
【請求項６】
前記検出手段は、有効画素範囲内の全範囲もしくは一部範囲の画素の最小値を、前記信号レベルとして検出することを特徴とする請求項１から請求項４のいずれか１項に記載の撮像装置。
【請求項７】
前記検出手段は、有効画素範囲内の全範囲もしくは一部範囲の画素の出力値のうち、最小値から数えて所定番目に小さい出力値を、前記信号レベルとして検出することを特徴とする請求項１から請求項４のいずれか１項に記載の撮像装置。
【請求項８】
前記検出手段は、有効画素範囲内の全範囲もしくは一部範囲の画素の最小値に予め定められた数値を加算した値を、前記信号レベルとして検出することを特徴とする請求項１から請求項４のいずれか１項に記載の撮像装置。
【請求項９】
前記検出手段は、有効画素範囲を複数の範囲に分割し、そのそれぞれの範囲における出力値の平均値を算出し、その複数の範囲の該平均値の最小値を、前記信号レベルとして検出することを特徴とする請求項１から請求項４のいずれか１項に記載の撮像装置。
【請求項１０】
露光した光学像を電気信号へと変換する複数の画素を備え、前記複数の画素は有効画素部と光学的黒領域部（ＯＢ部）とからなる撮像素子と、
前記撮像素子の有効画素部内の全範囲もしくは一部範囲の出力値の中で、所定の閾値以下の、撮影画像の黒レベル用の信号レベルを検出する検出手段と、
前記ＯＢ部の全範囲もしくは一部範囲の出力信号の平均値を算出するＯＢ積分手段と、
前記ＯＢ積分手段により算出されたＯＢレベルと前記有効画素部範囲内の信号レベルのいずれか一方の値をもって撮影画像の黒レベルとする黒レベル選択手段と、を有することを特徴とする撮像装置。
【請求項１１】
前記検出手段は、前記有効画素部範囲内のうち前記ＯＢ部に隣接する一部分範囲内の出力値の信号レベルを検出することを特徴とする請求項１０記載の撮像装置。
【請求項１２】
前記黒レベル選択手段は、前記ＯＢ積分手段により算出されたＯＢレベルと前記有効画素部範囲内の信号レベルのうち小さい方の値を黒レベルとして選択することを特徴とする請求項１０記載の撮像装置。
【請求項１３】
前記検出手段は、前記撮像装置の撮影条件に応じて、前記信号レベルを検出することを特徴とする請求項１０記載の撮像装置。
【請求項１４】
前記検出手段は、予め定められた秒時よりも短い露光時間が設定された場合に、前記信号レベルを検出することを特徴とする請求項１３記載の撮像装置。
【請求項１５】
前記検出手段は、予め定められた温度よりも低い温度の場合に、前記信号レベルを検出することを特徴とする請求項１３記載の撮像装置。
【請求項１６】
前記撮像素子の出力信号を前記黒レベル選択手段により求められた黒レベルで補正する補正手段を有することを特徴とする請求項１１〜１５のいずれか1項に記載の撮像装置。
【請求項１７】
撮像素子により光学像を電気信号へと変換し、
前記撮像素子の有効画素範囲内の全範囲もしくは一部範囲の出力値の中で、所定の閾値以下の、撮影画像の黒レベル用の信号レベルを検出し、
検出された信号レベルをもって撮影画像の黒レベルとすることを特徴とする撮像方法。
【請求項１８】
有効画素部と光学的黒領域部（ＯＢ部）とを備えた撮像素子により、光学像を電気信号へと変換し、
前記撮像素子の有効画素部内の全範囲もしくは一部範囲の出力値の中で、所定の閾値以下の、撮影画像の黒レベル用の信号レベルを検出するとともに、前記ＯＢ部の全範囲もしくは一部範囲の出力信号の平均値を算出し、
算出されたＯＢレベルと前記有効画素部範囲内の信号レベルのいずれか一方の値をもって撮影画像の黒レベルとすることを特徴とする撮像方法。
【手続補正２】
【補正対象書類名】明細書
【補正対象項目名】００１５
【補正方法】変更
【補正の内容】
【００１５】
上記目的を達成するために、本発明の撮像装置は、露光した光学像を電気信号へと変換する複数の画素を備えた撮像素子と、
前記撮像素子の有効画素範囲内の全範囲もしくは一部範囲の出力値の中で、所定の閾値以下の、撮影画像の黒レベル用の信号レベルを検出する検出手段と、
前記撮像素子の出力信号を前記信号レベルで補正する補正手段と、
を備えたことを特徴とする。
【手続補正３】
【補正対象書類名】明細書
【補正対象項目名】００１６
【補正方法】変更
【補正の内容】
【００１６】
また本発明の撮像装置は、露光した光学像を電気信号へと変換する複数の画素を備え、前記複数の画素は有効画素部と光学的黒領域部（ＯＢ部）とからなる撮像素子と、
前記撮像素子の有効画素部内の全範囲もしくは一部範囲の出力値の中で、所定の閾値以下の、撮影画像の黒レベル用の信号レベルを検出する検出手段と、
前記ＯＢ部の全範囲もしくは一部範囲の出力信号の平均値を算出するＯＢ積分手段と、
前記ＯＢ積分手段により算出されたＯＢレベルと前記有効画素部範囲内の信号レベルのいずれか一方の値をもって撮影画像の黒レベルとする黒レベル選択手段と、を有することを特徴とする。
【手続補正４】
【補正対象書類名】明細書
【補正対象項目名】００１７
【補正方法】変更
【補正の内容】
【００１７】
本発明の撮像方法は、撮像素子により光学像を電気信号へと変換し、
前記撮像素子の有効画素範囲内の全範囲もしくは一部範囲の出力値の中で、所定の閾値以下の、撮影画像の黒レベル用の信号レベルを検出し、
検出された信号レベルをもって撮影画像の黒レベルとすることを特徴とする。
【手続補正５】
【補正対象書類名】明細書
【補正対象項目名】００１８
【補正方法】変更
【補正の内容】
【００１８】
また本発明の撮像方法は、有効画素部と光学的黒領域部（ＯＢ部）とを備えた撮像素子により、光学像を電気信号へと変換し、
前記撮像素子の有効画素部内の全範囲もしくは一部範囲の出力値の中で、所定の閾値以下の、撮影画像の黒レベル用の信号レベルを検出するとともに、前記ＯＢ部の全範囲もしくは一部範囲の出力信号の平均値を算出し、
算出されたＯＢレベルと前記有効画素部範囲内の信号レベルのいずれか一方の値をもって撮影画像の黒レベルとすることを特徴とする。
【手続補正書】
【提出日】平成19年7月31日(2007.7.31)
【手続補正１】
【補正対象書類名】明細書
【補正対象項目名】特許請求の範囲
【補正方法】変更
【補正の内容】
【特許請求の範囲】
【請求項１】  導光板の裏面側に光源が配置され、前記裏面側から前記導光板内へ入射した前記光源からの光を、前記導光板の内部側へ向けて前記導光板の内部を伝播させるように反射する角度の傾斜面が前記導光板の側面に形成され、前記傾斜面の表面側に反射部材が配置され、前記導光板の出射面に対向するように被照明部材が配置されてなる画像表示装置において、
前記反射部材が、導光板と被照明部材のいずれか一方に接着固定される第１部分と、前記傾斜面に密着させられる第２部分とを備え、
前記反射部材と前記被照明部材との間に、前記反射部材の第２部分を前記傾斜面に押し付ける弾性体が配置されたことを特徴とする画像表示装置。
【請求項２】  導光板の裏面側に光源が配置され、前記裏面側から前記導光板内へ入射した前記光源からの光を、前記導光板の内部側へ向けて前記導光板の内部を伝播させるように反射する角度の傾斜面が前記導光板の側面に形成され、前記傾斜面の表面側に反射部材が配置され、前記導光板の出射面に対向するように被照明部材が配置されてなる画像表示装置において、
前記反射部材が、導光板と被照明部材のいずれか一方に接着固定される第１部分と、前記傾斜面に密着させられる第２部分とを備え、
前記反射部材と前記被照明部材との間に、前記反射部材の第２部分を前記傾斜面に押し付ける充填材が配置されたことを特徴とする画像表示装置。
【請求項３】  導光板の裏面側に光源が配置され、前記裏面側から前記導光板内へ入射した前記光源からの光を、前記導光板の内部側へ向けて前記導光板の内部を伝播させるように反射する角度の傾斜面が前記導光板の側面に形成され、前記傾斜面の表面側に反射部材が配置されてなる面光源装置であって、
前記反射部材が、導光板の出射面に接着固定される第１部分と、前記傾斜面に密着させられる第２部分とを備え、
前記反射部材の第２部分の表面側に弾性体が固定され、
前記導光板の前記出射面上に被照明側部材が配置されると、該被照明部材によって前記弾性体が押圧され、前記反射部材の第２部分が前記傾斜面に前記弾性体の弾性力で押圧されることを特徴とする面光源装置。
【手続補正２】
【補正対象書類名】明細書
【補正対象項目名】０００６
【補正方法】変更
【補正の内容】
【０００６】
【課題を解決するための手段】
請求項１の発明は、導光板の裏面側に光源が配置され、前記裏面側から前記導光板内へ入射した前記光源からの光を、前記導光板の内部側へ向けて前記導光板の内部を伝播させるように反射する角度の傾斜面が前記導光板の側面に形成され、前記傾斜面の表面側に反射部材が配置され、前記導光板の出射面に対向するように被照明部材が配置されてなる画像表示装置に関するものである。そして、前記反射部材が、導光板と被照明部材のいずれか一方に接着固定される第１部分と、前記傾斜面に密着させられる第２部分とを備えている。又、前記反射部材と前記被照明部材との間に、前記反射部材の第２部分を前記傾斜面に押し付ける弾性体が配置されるようになっている。
【手続補正３】
【補正対象書類名】明細書
【補正対象項目名】０００７
【補正方法】変更
【補正の内容】
【０００７】
請求項２の発明は、導光板の裏面側に光源が配置され、前記裏面側から前記導光板内へ入射した前記光源からの光を、前記導光板の内部側へ向けて前記導光板の内部を伝播させるように反射する角度の傾斜面が前記導光板の側面に形成され、前記傾斜面の表面側に反射部材が配置され、前記導光板の出射面に対向するように被照明部材が配置されてなる画像表示装置に関するものである。そして、前記反射部材が、導光板と被照明部材のいずれか一方に接着固定される第１部分と、前記傾斜面に密着させられる第２部分とを備えている。そして、前記反射部材と前記被照明部材との間に、前記反射部材の第２部分を前記傾斜面に押し付ける充填材が配置されている。
【手続補正４】
【補正対象書類名】明細書
【補正対象項目名】０００８
【補正方法】変更
【補正の内容】
【０００８】
請求項３の発明は、導光板の裏面側に光源が配置され、前記裏面側から前記導光板内へ入射した前記光源からの光を、前記導光板の内部側へ向けて前記導光板の内部を伝播させるように反射する角度の傾斜面が前記導光板の側面に形成され、前記傾斜面の表面側に反射部材が配置されてなる面光源装置に関するものである。そして、前記反射部材が、導光板の出射面に接着固定される第１部分と、前記傾斜面に密着させられる第２部分とを備えている。又、前記反射部材の第２部分の表面側に弾性体が固定されており、前記導光板の前記出射面上に被照明側部材が配置されると、該被照明部材によって前記弾性体が押圧され、前記反射部材の第２部分が前記傾斜面に前記弾性体の弾性力で押圧されるようになっている。
【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】
【請求項１】  複数の記憶装置に分散記憶された資料ファイルをアクセスして表示装置に表示する会議支援装置において、
一旦アクセスされた資料ファイルに係る情報を一括して記憶する記憶手段と、
前記一旦アクセスされた資料ファイルに係るアイコンを作成して前記表示装置に表示するアイコン表示手段と、
前記アイコン表示手段により表示されたアイコンがクリックされた際に、該アイコンに対応する資料ファイルを前記記憶手段に記憶された情報に基づいて読出して前記表示装置に表示する表示制御手段と、
を備えたことを特徴とする会議支援装置。
【請求項２】  前記記憶手段は、前記情報として前記一旦アクセスされた資料ファイルの資料データを記憶することを特徴とする請求項１記載の会議支援装置。
【請求項３】  前記記憶手段は、前記情報として前記一旦アクセスされた資料ファイルのリンク先情報を記憶することを特徴とする請求項１記載の会議支援装置。
【請求項４】  前記アイコン表示手段は、前記一旦アクセスされた資料ファイルに係るアイコンを該資料ファイルの資料データの表示領域とは別に形成されたウィンドウに表示することを特徴とする請求項１〜３の何れかに記載の会議支援装置。
【請求項５】  前記ウィンドウに会議の議事録を表示することを特徴とする請求項４記載の会議支援装置。
【請求項６】  前記ウィンドウにホワイトボード機能等の他の会議支援用のソフトウェアを起動するためのアイコンを表示することを特徴とする請求項４又は５記載の会議支援装置。
【請求項７】  前記ウィンドウに前記他の会議支援用のソフトウェアにより作成されたデータのファイルを示すアイコンを貼り付けることを特徴とする請求項４〜６の何れかに記載の会議支援装置。
【請求項８】  前記記憶手段は、前記一旦アクセスされた資料ファイルに係る情報と共に前記ウィンドウの表示内容を記憶することを特徴とする請求項１〜７の何れかに記載の会議支援装置。
【請求項９】  複数の記憶装置に分散記憶された資料ファイルをアクセスして表示装置に表示する会議支援方法において、
一旦アクセスされた資料ファイルに係る情報を一括して記憶する記憶工程と、
前記一旦アクセスされた資料ファイルに係るアイコンを作成して前記表示装置に表示するアイコン表示工程と、
前記アイコン表示工程により表示されたアイコンがクリックされた際に、該アイコンに対応する資料ファイルを前記記憶工程に記憶された情報に基づいて読出して前記表示装置に表示する表示制御工程と、
を備えたことを特徴とする会議支援方法。
【請求項１０】  複数の記憶装置に分散記憶された資料ファイルをアクセスして表示装置に表示する会議支援システムにおいて、
一旦アクセスされた資料ファイルに係る情報を一括して記憶する記憶手段と、
前記一旦アクセスされた資料ファイルに係るアイコンを作成して前記表示装置に表示するアイコン表示手段と、
前記アイコン表示手段により表示されたアイコンがクリックされた際に、該アイコンに対応する資料ファイルを前記記憶手段に記憶された情報に基づいて読出して前記表示装置に表示する表示制御手段と、
を備えたことを特徴とする会議支援システム。
【請求項１１】  複数の記憶装置に分散記憶された資料ファイルをアクセスして表示装置に表示する会議支援方法をコンピュータに実行させるための制御プログラムを格納したコンピュータ読出可能な媒体において、前記制御プログラムは、
一旦アクセスされた資料ファイルに係る情報を一括して記憶する記憶ルーチンと、
前記一旦アクセスされた資料ファイルに係るアイコンを作成して前記表示装置に表示するアイコン表示ルーチンと、
前記アイコン表示ルーチンにより表示されたアイコンがクリックされた際に、該アイコンに対応する資料ファイルを前記記憶ルーチンに記憶された情報に基づいて読出して前記表示装置に表示する表示制御ルーチンと、
を含むことを特徴とする媒体。
【手続補正２】
【補正対象書類名】明細書
【補正対象項目名】００１０
【補正方法】変更
【補正の内容】
【００１０】
また、本発明は、複数の記憶装置に分散記憶された資料ファイルをアクセスして表示装置に表示する会議支援方法をコンピュータに実行させるための制御プログラムを格納したコンピュータ読出可能な媒体において、前記制御プログラムは、一旦アクセスされた資料ファイルに係る情報を一括して記憶する記憶ルーチンと、前記一旦アクセスされた資料ファイルに係るアイコンを作成して前記表示装置に表示するアイコン表示ルーチンと、前記アイコン表示ルーチンにより表示されたアイコンがクリックされた際に、該アイコンに対応する資料ファイルを前記記憶ルーチンに記憶された情報に基づいて読出して前記表示装置に表示する表示制御ルーチンとを含んでいる。
【手続補正書】
【提出日】平成19年8月16日(2007.8.16)
【手続補正１】
【補正対象書類名】明細書
【補正対象項目名】特許請求の範囲
【補正方法】変更
【補正の内容】
【特許請求の範囲】
【請求項１】  下記一般式（１）で定義される、厚み方向のレターデーション値（Ｒｔ）が２３℃、５５％ＲＨの条件下で１００〜３００ｎｍであり、以下に定義される漏光率が０．００１％以下であり、セルロースの低級脂肪酸エステルを含有することを特徴とする光学フィルム。
（漏光率）＝Ｓｉｎ2（２θ）×Ｓｉｎ2（πＲｏ／λ）×１００
θ：遅相軸角度（ラジアン）Ｒｏ：面内レタデーション値（ｎｍ）
λ：入射波長（５９０ｎｍ）π：円周率
一般式（１）
Ｒｔ＝（（Ｎｘ＋Ｎｙ）／２−Ｎｚ）×ｄ
（式中、Ｎｘ、Ｎｙ、Ｎｚはそれぞれ屈折率楕円体の主軸ｘ、ｙ、ｚ方向の屈折率を表し、且つ、Ｎｘ、Ｎｙはフィルム面内方向の屈折率を、Ｎｚはフィルムの厚み方向の屈折率を表す。また、Ｎｘ≧Ｎｙであり、ｄはフィルムの厚み（ｎｍ）を表す。）
【請求項２】  前記セルロースエステルの低級脂肪酸エステルがセルロースアセテートプロピオネートであることを特徴とする請求項１記載の光学フィルム。
【請求項３】  前記光学フィルムが、２層以上のフィルムを積層したものであり、かつ
残留溶媒量が５％以下であることを特徴とする請求項１または２に記載の光学フィルム。
【請求項４】  個別に製膜された２枚以上のセルロースエステルの低級脂肪酸エステルを含有する光学フィルムを、該フィルム製膜に用いる有機溶剤を介して貼合させることにより形成することを特徴とする請求項３記載の光学フィルムの製造方法。
【請求項５】  ２カ所以上の流延工程を経て製膜されて形成されることを特徴とする請求項３記載の光学フィルムの製造方法。
【請求項６】  請求項１または２記載の光学フィルムを用いることを特徴とする液晶表示用偏光板。
【請求項７】  液晶表示用偏光板と液晶セルとを具備する液晶表示装置において、該液晶セルは少なくとも一種のバーティカルアライアメント型液晶を有し、かつ該液晶表示用偏光板が請求項６記載の液晶表示用偏光板であることを特徴とする液晶表示装置。
【手続補正２】
【補正対象書類名】明細書
【補正対象項目名】０１５２
【補正方法】変更
【補正の内容】
【０１５２】
得られた結果を表４に示す。次いで、液晶表示装置１〜１４について、下記に示すように視野角特性の測定、評価を行った。
【手続補正３】
【補正対象書類名】明細書
【補正対象項目名】０１５３
【補正方法】変更
【補正の内容】
【０１５３】
〈視野角特性の評価〉得られた液晶表示装置に、（株）エーエムティ製ＶＧ３６５Ｎビデオパターンジェネレーターにて、白色表示、黒色表示及びグレー８階調表示を行い、白色／黒色表示時のコントラスト比を大塚電子（株）製ＬＣＤ−７０００にて、上下左右角度６０度の範囲で測定した。コントラスト比≧１０を示す角度を視野角とした。なお、測定は２３℃、５５％ＲＨ下で行った。得られた結果を表５、６に示す。
【手続補正４】
【補正対象書類名】明細書
【補正対象項目名】０１６１
【補正方法】変更
【補正の内容】
【０１６１】
【表１】
2002082225.tif 000001
【手続補正５】
【補正対象書類名】明細書
【補正対象項目名】０１６２
【補正方法】変更
【補正の内容】
【０１６２】
【表２】
2002082225.tif 000002
【手続補正６】
【補正対象書類名】明細書
【補正対象項目名】０１６３
【補正方法】変更
【補正の内容】
【０１６３】
【表３】
2002082225.tif 000003
【手続補正７】
【補正対象書類名】明細書
【補正対象項目名】０１６４
【補正方法】変更
【補正の内容】
【０１６４】
【表４】
2002082225.tif 000004
【手続補正８】
【補正対象書類名】明細書
【補正対象項目名】０１６５
【補正方法】変更
【補正の内容】
【０１６５】
【表５】
2002082225.tif 000005
【手続補正９】
【補正対象書類名】明細書
【補正対象項目名】０１６６
【補正方法】変更
【補正の内容】
【０１６６】
【表６】
2002082225.tif 000006
【手続補正１０】
【補正対象書類名】明細書
【補正対象項目名】０１７５
【補正方法】変更
【補正の内容】
【０１７５】
【表７】
2002082225.tif 000007